(57)【特許請求の範囲】
【請求項１】
記録媒体に記録及び再生を行う情報記録再生装置であり、
Ｄ端子より供給されるＤ端子解像度情報を伴うソース信号を受け、前記Ｄ端子解像度情報を抽出して出力する抽出手段と、
前記ソース信号を受け、これをエンコードすることにより、パック形式のコンテンツ情報を生成するエンコーダ手段と、
前記エンコーダ手段からのパック形式のコンテンツ情報を、前記抽出手段から出力される前記Ｄ端子解像度情報に応じた制御情報と共に記録媒体の記憶領域に記録する記録手段と、
前記抽出手段が抽出したＤ端子解像度情報に基づき、前記記録媒体の記憶領域へ前記ソース信号が録画できるかどうかを判断し、録画できないと判断したとき、前記エンコーダ手段への前記ソース信号の供給を停止する手段と、
前記記録手段が前記記録媒体に記録した前記制御情報と前記コンテンツ情報とを読み出し、前記コンテンツ情報を復調し前記制御情報に基づいて再生する再生手段と、
を具備することを特徴とする情報記録再生装置。
【請求項２】
前記記録媒体の記憶領域へ前記ソース信号が録画できないと判断したとき、録画を停止した旨を表示するための表示信号を生成する手段を有することを特徴とする請求項１記載の情報記録再生装置。
【請求項３】
前記抽出手段が抽出したＤ端子解像度情報に基づき、前記記録及び再生手段が前記ソース信号を処理できるかどうかを判断し、処理できないと判断したとき、前記ソース信号が前記記録手段に含まれるエンコーダ部への供給を一時停止する手段を有することを特徴とする請求項１記載の情報記録再生装置。
【請求項４】
前記抽出手段が抽出したＤ端子解像度情報に基づき、前記記録及び再生手段が前記ソース信号を処理できるかどうかを判断し、処理できないと判断したとき、前記ソース信号の前記記録媒体への記録を停止することを特徴とする手段を有することを特徴とする請求項１記載の情報記録再生装置。
【請求項５】
記録媒体に記録及び再生を行う情報記録再生装置であり、
Ｄ端子より供給されるＤ端子解像度情報を伴うソース信号を受け、前記Ｄ端子解像度情報を抽出して出力する抽出手段と、
前記ソース信号を受け、これをエンコードすることにより、パック形式のコンテンツ情報を生成するエンコーダ手段と、
前記エンコーダ手段からのパック形式のコンテンツ情報を、前記抽出手段から出力される前記Ｄ端子解像度情報に応じた制御情報と共に記録媒体の記憶領域に記録する記録手段と、
前記抽出手段が抽出したＤ端子解像度情報に基づき、前記記録媒体の記憶領域へ前記ソース信号が録画できるかどうかを判断し、録画できないと判断したとき、前記エンコーダ手段のエンコード処理を中止する手段と、
前記記録手段が前記記録媒体に記録した前記制御情報と前記コンテンツ情報とを読み出し、前記コンテンツ情報を復調し前記制御情報に基づいて再生する再生手段と、
を具備することを特徴とする情報記録再生装置。
【請求項６】
記録媒体に記録及び再生を行う情報記録再生装置であり、
Ｄ端子より供給されるＤ端子解像度情報を伴うソース信号を受け、前記Ｄ端子解像度情報を抽出して出力する抽出手段と、
前記ソース信号を受け、これをエンコードすることにより、パック形式のコンテンツ情報を生成するエンコーダ手段と、
前記エンコーダ手段からのパック形式のコンテンツ情報を、前記抽出手段から出力される前記Ｄ端子解像度情報に応じた制御情報と共に記録媒体の記憶領域に記録する記録手段と、
前記抽出手段が抽出したＤ端子解像度情報に基づき、前記記録媒体の記憶領域へ前記ソース信号が録画できるかどうかを判断し、録画できないと判断したとき、前記記録手段の録画処理を中止する手段と、
前記記録手段が前記記録媒体に記録した前記制御情報と前記コンテンツ情報とを読み出し、前記コンテンツ情報を復調し前記制御情報に基づいて再生する再生手段と、
を具備することを特徴とする情報記録再生装置。
【請求項７】
記録媒体に記録及び再生を行う情報記録再生装置であり、
Ｄ端子より供給されるＤ端子解像度情報を伴うソース信号を受け、前記Ｄ端子解像度情報を抽出して出力する抽出手段と、
前記ソース信号を受け、これをエンコードすることにより、パック形式のコンテンツ情報を生成し、これを前記抽出手段から出力される前記Ｄ端子解像度情報に応じた制御情報と共に記録媒体の記憶領域に記録する第１記録手段と、
前記Ｄ端子解像度情報に基づき、前記記録媒体の記憶領域へ前記ソース信号が録画できるかどうかを判断し、そのままでは録画できないと判断したとき、前記ソース信号の画像信号を画像縮小部により処理できる解像度まで落とした上で、前記Ｄ端子解像度情報に応じた制御情報と共に記録媒体の記憶領域に記録する第２記録手段と、
前記記録手段が前記記録媒体に記録した前記制御情報と前記コンテンツ情報とを読み出し、前記コンテンツ情報を復調し前記制御情報に基づいて再生する再生手段と、
を具備することを特徴とする情報記録再生装置。
【発明の詳細な説明】
【０００１】
【発明の属する技術分野】
本発明は、光ディスクやハードディスク等の記録媒体を対象とする情報記録再生装置に関し、特にＤ端子等の画像信号規格情報に応じた記録処理を行う情報記録再生装置に関するものである。
【０００２】
【従来の技術】
最近、映像や音声等のデータを記録した光ディスクを再生する動画対応の光ディスク記録再生装置が開発され、例えばＬＤ（Laser Disc）や、ビデオＣＤ（Compact Disc）などの様に、映画ソフトやカラオケ等の目的で一般に普及されている。
【０００３】
その中で、現在、国際規格化したＭＰＥＧ２（Moving Image Coding Expert Group）方式を使用し、ＡＣ３オーディオ圧縮方式を採用したＤＶＤ（Digital Versatile Disc）規格が提案された。
【０００４】
この規格は、ＭＰＥＧ２システムレイヤに従って、動画圧縮方式にＭＰＥＧ２、音声にＡＣ３オーディオ、ＭＰＥＧオーディオをサポートし、更に、字幕用としてビットマップデータをランレングス圧縮した副映像データ、早送り巻き戻しなどの特殊再生用コントロールデータ（ナビパック）を追加して構成されている。
【０００５】
更に、この規格では、コンピュータでデータを読むことが出来るように、ＩＳＯ９６６０とマイクロＵＤＦ（Universal Disc Format）をサポートしている。
【０００６】
又、メディア自身の規格としては、ＤＶＤ−ビデオで使用しているメディアであるＤＶＤ−ＲＯＭ（Read Only Memory）に続き、ＤＶＤ−ＲＡＭの規格（２．６ＧＢ）も完成し、ＤＶＤ−ＲＡＭ（Random Access Memory）ドライブもコンピュータ周辺機器として普及し始めている。
【０００７】
そこで、現在、そのＤＶＤ−ＲＡＭを利用したリアルタイムな録画再生が可能なＤＶＤビデオ規格であるＲＴＲ−ＤＶＤ（Real Time Recorder）の規格が完成し、製造・販売されている。この規格は、現在発売されているＤＶＤ−ビデオ規格に基づいて考えられている。
【０００８】
ここで、ＤＶＤビデオでは、ビデオ信号処理は、入力後、ＡＤ変換され、デジタル信号処理されることになる。そして、ビデオ信号のデジタル化された信号は、ＣＣＩＲ６５６の規格に基づいてデジタル化されることになる。
【０００９】
又、近年、デジタル放送の一般化に伴い、デジタル放送に対応したインターフェース“Ｄ端子”が普及され始めている。これには、Ｄ１〜Ｄ５まで種類があり、以下のような解像度の違いがある。
【００１０】
Ｄ１： ５２５ｉ
Ｄ２： ５２５ｉ、５２５ｐ
Ｄ３： ５２５ｉ、５２５ｐ、１１２５ｉ
Ｄ４： ５２５ｉ、５２５ｐ、１１２５ｉ、７５０ｐ
Ｄ５： ５２５ｉ、５２５ｐ、１１２５ｉ、７５０ｐ、１１２５ｐ
すなわち、これらの規格は、
・１１２５ｉ：走査線数１１２５本（有効走査線数１０８０本）、飛び越し走査方式（インタレース）
・７５０ｐ：走査線数７５０本（有効走査線数７２０本）、順次走査方式（プログレッシブ）
・５２５ｐ：走査線数５２５本（有効走査線数４８０本）、順次走査方式（プログレッシブ）
・５２５ｉ：走査線数５２５本（有効走査線数４８０本）、飛び越し走査方式（インタレース）
を意味している。
【００１１】
又、Ｙ信号のＶＢＩにはコピーマネージメント情報が重畳されて、コピー世代管理が行われている。
【００１２】
【発明が解決しようとする課題】
しかしながら、現行機のＤＶＤの規格では、解像度的に７２０＊４８０本までしか対応していない。従って、Ｄ１以上のソース信号を与えたとき、現行のＤＶＤレコーダでは録画することができない。又、これ以上の解像度を有する将来機においても、Ｄ端子の信号を考慮して制御信号を生成し記録・再生する働きはない。従って、本発明の特徴をもたない従来のＤＶＤレコーダでは、Ｄ端子の信号に対応した録画を行うことができないという問題がある。
【００１３】
本発明では、この問題に鑑み、ソース信号に重畳される画像信号規格情報であるＤ端子の信号に対応する情報記録再生装置を提供する。
【００１４】
【課題を解決するための手段】
本発明は、記録媒体に記録及び再生を行う情報記録再生装置であり、Ｄ端子より供給されるＤ端子解像度情報を伴うソース信号を受け、前記Ｄ端子解像度情報を抽出して出力する抽出手段と、前記ソース信号を受け、これをエンコードすることにより、パック形式のコンテンツ情報を生成するエンコーダ手段と、前記エンコーダ手段からのパック形式のコンテンツ情報を、前記抽出手段から出力される前記Ｄ端子解像度情報に応じた制御情報と共に記録媒体の記憶領域に記録する記録手段と、前記抽出手段が抽出したＤ端子解像度情報に基づき、前記記録媒体の記憶領域へ前記ソース信号が録画できるかどうかを判断し、録画できないと判断したとき、前記エンコーダ手段への前記ソース信号の供給を停止する手段と、前記記録手段が前記記録媒体に記録した前記制御情報と前記コンテンツ情報とを読み出し、前記コンテンツ情報を復調し前記制御情報に基づいて再生する再生手段とを具備することを特徴とする情報記録再生装置である。
【００１５】
本発明は上述した構造により、Ｄ端子から供給されるＤ端子解像度情報に基づいて、記録媒体の記憶領域へソース信号が録画できるかどうかを判断し、録画できないと判断したとき、エンコーダへのソース信号の供給を停止するものである。これにより、Ｄ端子解像度情報を有効に活用し、録画しても再生することができないソース信号を無駄に録画してしまうという不具合を有効に回避するものである。
【００１６】
なお、本発明の情報記録再生装置の対象とする記録媒体は、光ディスクやハードディスク、更にはメモリ装置であっても、同等の作用効果を有するものである。
【００１７】
【発明の実施の形態】
以下、図面を参照して本発明に係る情報記録再生装置を詳細に説明する。
【００１８】
＜本発明に係る情報記録再生装置の構造＞
図１は、本発明に係る情報記録再生装置の全体構成を示すブロック図、図２は、本発明に係る情報記録再生装置のエンコーダとデコーダの一例を示すブロック図である。以下、この実施形態では、ハードディスクを内臓したＤＶＤ記録再生装置に例をとって本発明の説明を行う。
【００１９】
（構造）
本発明に係る情報記録再生装置は、図１において、記録媒体として、ＤＶＤ−ＲＡＭ、ハードディスクの両方を取扱うことができる情報記録再生装置として示しているが、いずれか一方のみの記録媒体を取り扱う装置に対しても本発明は適用可能である。又ハードディスク或はＤＶＤ−ＲＡＭは半導体メモリによる記憶媒体に置換されても同等の作用効果を示すものである。
【００２０】
図１の各ブロックを大きく分けると、左側には記録部の主なブロックを示し、右側には再生部の主なブロックを示している。
【００２１】
この情報記録再生装置Ｒは、ハードディスクドライブ部１２と、ビデオファイルを構築できる情報記憶媒体である光ディスクＤを回転駆動し、情報の読み書きを実行するディスクドライブ部１１と、ハードディスクドライブ部１２及びディスクドライブ部１１に記録データを供給することができ、又、再生された信号を受け取るデータプロセッサ部１３とを有する。データプロセッサ部１３は、記録或は再生単位のデータを取扱うもので、バッファ回路、変調・復調回路、エラー訂正部などを含む。
【００２２】
又、この情報記録再生装置は、録画側を構成するエンコーダ部２４と、再生側を構成するデコーダ部２５と、装置本体の動作を制御する制御部２７とを主たる構成要素としている。
【００２３】
エンコーダ部２４は、図２の（ａ）に示すように、入力されたアナログビデオ信号、入力されたアナログオーディオ信号をデジタル化するビデオ用及びオーディオ用のアナログデジタルコンバータ４２と、ビデオエンコーダ４３と、オーディオエンコーダ４４とを有する。更に又、副映像エンコーダ４５も含む。又各エンコーダの出力を所定のＤＶＤ−ＲＡＭのフォーマットにするフォーマッタ４６と、バッファメモリ４７とを備えている。エンコーダ部２４には、ＡＶ入力部２２からの外部アナログビデオ信号と外部アナログオーディオ信号、あるいはＴＶ（テレビジョン）チューナ２１からのアナログビデオ信号とアナログ音声信号が入力される。
【００２４】
更に本発明の構造的な特徴となる、ＡＶ入力部２２からＤ端子情報を抽出する画像信号規格情報抽出部２２を有しており、ここから抽出されたＤ端子情報がエンコーダ部２４に供給される。この画像信号規格情報抽出部２３は、図１５で示され、ＡＶ入力部２３から制御信号を受けるＡ／Ｄコンバータ又はコンパレータ５６を用いることが好適である。
【００２５】
尚、エンコーダ部２４は、直接デジタルビデオ信号やデジタルオーディオ信号が入力されるときは、デジタルビデオ信号やデジタルオーディオ信号を直接フォーマッタ４６に供給している。又後述するビデオミキシング部３２、オーディオセレクタに各ビデオデータ、オーディオデータを供給することができる。
【００２６】
デコーダ部２５では、デジタルビデオ信号は、ＭＰＥＧ２又はＭＰＥＧ１規格に基づいた可変ビットレートで圧縮されたデジタルビデオ信号に変換される。デジタルオーディオ信号は、ＭＰＥＧ又はＡＣ−３規格に基づいて、固定ビットレートで圧縮されたデジタルオーディオ信号又はリニアＰＣＭのデジタルオーディオ信号に変換される。
【００２７】
副映像情報がＡＶ入力部２２から入力された場合（例えば副映像信号の独立出力端子付ＤＶＤビデオプレーヤからの信号）、あるいはこのようなデータ構成のＤＶＤビデオ信号が放送され、それがＴＶチューナ２１で受信された場合は、ＤＶＤビデオ信号中の副映像信号が、副映像エンコーダでエンコード（ランレングス圧縮）され、副映像のビットマップとなる。
【００２８】
エンコードされたデジタルビデオ信号、デジタルオーディオ信号、副映像データは、フォーマッタにおいてパック化され、ビデオパック、オーディオパック、副映像パックとなり、更にこれらが集合されて、ＤＶＤレコーディング規格（例えばＤＶＤ−ＲＡＭ、ＤＶＤ−Ｒ、ＤＶＤ−ＲWなどの規格）で規定されたフォーマットに変換される。
【００２９】
ここで、本装置は、エンコーダ部２４でエンコードされた情報（ビデオ、オーディオ、副映像データなどのパック）及び作成された管理情報を、データプロセッサ１３を介してハードディスク装置１２に供給し、ハードディスクに記録することができる。又ハードディスク１２に記録された情報を、データプロセッサ部１３、ディスクドライブ１１を介して光ディスクＤに記録することもできる。これは、ハードディスク１２に記録されている情報が、光ディスクＤのデータフォーマットと同じであることによる。
【００３０】
更に又、エンコーダ部２４でエンコードされた情報、及び、作成された管理情報をデータプロセッサ部１３、ディスクドライブ１１を介して、光ディスクＤに直接記録することもできる。更には、光ディスクＤ及びハードディスク１２に記録されている「ファイル或はビデオオブジェクト」を削除することもできる。
【００３１】
又、ハードディスク１２或は光ディスクＤに記録されている複数番組のビデオオブジェクトを、一部削除したり、異なる番組のオブジェクトを繋げたりする編集処理を行うこともできる。これは、本発明に係るフォーマットが取り扱うデータ単位（後述する）を定義し、編集を容易にしているからである。
【００３２】
なおハードディスクドライブ部１２のハードディスクに記録されている情報が、光ディスクＤのデータフォーマットと異なる場合は、ハードディスク１２から読み出した情報をエンコーダ部２４でエンコードする。そしてエンコードされた情報を光ディスクＤに記録することができる。又、ディスクドライブ部１１は、光ディスクＤに対する回転制御系、レーザ駆動系、光学系などを有する。
【００３３】
制御部２７は、ＭＰＵ（マイクロプロセシングユニット）、又はＣＰＵ（セントラルプロセシングユニット）と、制御プログラム等が書き込まれたＲＯＭと、プログラム実行に必要なワークエリアを提供するためのＲＡＭとを含んでいる。
【００３４】
制御部２７のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００３５】
又、制御部２７は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部、パケットヘッダ処理部、シーケンスヘッダ処理部、アスペクト比情報処理部を備える。
【００３６】
ＭＰＵの実行結果のうち、ユーザに通知すべき内容は、ＤＶＤビデオレコーダの表示部２８に表示されるか、又はモニタディスプレイにＯＳＤ（オンスクリーンディスプレイ）表示される。又、制御部２７には、この装置を操作するための操作信号を与えるキー入力部２９を有する。
【００３７】
なお、制御部２７が、ディスクドライブ部１１、データプロセッサ部１３、エンコーダ部２４及び又はデコーダ部２５等を制御するタイミングは、ＳＴＣ２６からの時間データに基づいて、実行することができる。録画や再生の動作は、通常はＳＴＣ２６からのタイムクロックに同期して実行されるが、それ以外の処理は、ＳＴＣ２６とは独立したタイミングで実行されてもよい。
【００３８】
デコーダ部２５は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダを有する。又、デコードされた主映像データにデコードされた副映像データを適宜合成し、主映像にメニュー、ハイライトボタン、字幕やその他の副映像を重ねて出力するビデオプロセッサを備えている。
【００３９】
デコーダ部２５の出力ビデオ信号は、ビデオミキシング部３２に入力される。ビデオミキシング部３２では、テキストデータの合成が行われる。又、ビデオミキシング部３２には、又、ＴＶチューナ２１やＡ／Ｖ入力部２２からの信号を直接取り込むラインも接続されている。ビデオミキシング部３２には、バッファとして用いるフレームメモリ部３３が接続されている。ビデオミキシング部３２の出力がデジタル出力の場合は、インターフェース（Ｉ／Ｆ）３４を介して外部へ出力され、アナログ出力の場合は、デジタルアナログ変換器３１を介して外部へ出力される。
【００４０】
デコーダ部２５の出力オーディオ信号は、セレクタ３０を介してデジタルアナログ変換器３１でアナログ変換され外部に出力される。セレクタ３０は、制御部２７からのセレクト信号により制御される。これにより、セレクタ３０は、ＴＶチューナ２１やＡ／Ｖ入力部２２からのデジタル信号を直接モニタするとき、エンコーダ部２４をスルーした信号を直接選択することも可能である。
【００４１】
尚、エンコーダ部２４のフォーマッタでは、録画中、各切り分け情報を作成し、定期的に制御部２７のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００４２】
同時に、アスペクト情報処理部からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報に基づき初期設定が行われる。
【００４３】
又、ＤＶＤ録画再生装置では、ビデオファイルは１ディスクに１ファイルとしている。
【００４４】
ここで、ＤＶＤを利用したリアルタイム録画再生装置において、注意すべき点は、データをアクセスする場合、そのアクセス（シーク）している間に、とぎれないで再生を続けるために、最低限連続するセクタが必要になってくる。この単位をＣＤＡ（コンティギュアス・データ・エリア）という。つまりシームレス再生を実現するために予め取り決められているデータサイズである。
【００４５】
このＣＤＡは、ＥＣＣ（エラー訂正コード）ブロック単位となっている方が有利である。そのため、ＣＤＡサイズは１６セクタの倍数にし、ファイルシステムでは、このＣＤＡ単位で記録を行っている。データプロセッサ部１３は、エンコーダ部２４のフォーマッタからＶＯＢＵ単位のデータを受け取り、ＣＤＡ単位のデータを、ディスクドライブ部１１に供給している。又、制御部２７のＭＰＵは、記録したデータを再生するのに必要な管理情報を作成し、データ記録終了のコマンドを認識すると、作成した管理情報をデータ処理部１３におくる。これにより、管理情報がディスクに記録される。従って、エンコードが行なわれているとき、エンコーダ部２４から制御部２７のＭＰＵは、データ単位の情報（切り分け情報など）を受け取る。又、制御部２７のＭＰＵは、記録開始時には、ディスクから読み取った管理情報（ファイルシステム）を認識し、ディスクの未記録エリアを認識し、データの記録エリアをデータプロセッサ部１３を介してディスクに設定している。
【００４６】
（ディレクトリ構造）
更に、本発明に係る情報記録再生装置のＤ端子信号に関する処理を説明するために必要な、ＤＶＤ規格のデータのディレクトリ構造について、以下に図面を用いて説明する。図４は、本発明に係る情報記録再生装置が扱う記録媒体のディレクトリ構造の一例を示す図、図５は、ディレクトリ構造におけるＶＯＢＳの構造の一例を示す図、図６は、ディレクトリ構造におけるＭ＿ＶＯＢ＿ＳＴＩの構造の一例を示す図、図７は、ディレクトリ構造におけるＣＴＬパックの構造の一例を示す図である。
【００４７】
これらの図において、ＤＶＤ規格では、通常のファイル形式でデータを保存されている。更にタイトルは、例えば、映画の一本分に相当し、一枚のディスクにこのタイトルが複数入っている。このタイトルが集まったものをタイトルセットと言い、このタイトルセットは、複数のファイルで構成されている。
【００４８】
又、ＤＶＤでは、規格ごとにディレクトリが存在し、ＤＶＤ−ビデオでは、ＶＩＤＥＯ＿ＴＳ、ＤＶＤ−オーディオでは、ＡＵＤＩＯ＿ＴＳ、ＲＴＲ−ＤＶＤでは、ＤＶＤ＿ＲＴＲとしている。各記録データは、このディレクトリの中に存在している。
【００４９】
更に、ＤＶＤ−ビデオでは、１枚のディスクには、このディスクを管理するための情報としてＶｉｄｅｏ  Ｍａｎａｇｅｒ（以降ＶＭＧと称する。）と称するファイルが存在する。
【００５０】
更に、タイトルセット（以後ＶＴＳと称する）には、このタイトルセットを管理するための情報がＶｉｄｅｏ  Ｔｉｔｌｅ  Ｓｅｔ  Ｉｎｆｏｒｍａｔｉｏｎ（以降ＶＴＳＩと称する。）の管理情報ファイルとビデオデータで構成されているビデオファイルとＶＴＳＩのバックアップファイルから構成されている。
【００５１】
ＲＴＲ−ＤＶＤでは、上記ＶＴＳＩとＶＭＧＩが一緒になり、新たなＶＭＧＩとして構成されている。
【００５２】
図４において、ディレクトリ「ＤＶＤ＿ＲＴＡＶ」内には、ビデオマネジャファイルとしてのＶＲ＿ＭＡＮＧＲ．ＩＦＯ、ムービービデオファイルとしてのＶＲ＿ＭＯＶＩＥ．ＶＲＯ、スチルピクチャビデオファイルとしてのＶＲ＿ＳＴＩＬＬ．ＶＲＯ、付加オーディオファイルとしてのＶＲ＿ＡＵＤＩＯ．ＶＲＯ、ビデオマネジャのバックアップとしてのＶＲ＿ＭＡＮＡＧＲ．ＢＵＰの各ファイルが存在する。
【００５３】
上記のＶＲ＿ＭＡＮＥＧＥＲ．ＩＦＯファイルには、ナビゲーションデータが記録されるもので、このナビゲーションデータは、プログラムセット、プログラム、エントリーポイント、プレイリストなどを進行させるためのデータである。
【００５４】
ＶＲ＿ＭＯＶＩＥ．ＶＲＯファイルは、ムービービデオオブジェクト（ムービーＶＯＢ）を記録するためのいわゆるムービーＡＶファイルである。
【００５５】
ＶＲ＿ＳＴＩＬＬ．ＶＲＯは、スチルピクチャＶＯＢを記録するためのスチルピクチャＡＶファイルである。
【００５６】
またＶＲ＿ＡＵＤＩＯ．ＶＲＯは、スチルピクチャに対する付加オーディオストリームを記録するためのスチルピクチャ付加オーディオファイルである。
【００５７】
ＶＲ＿ＭＯＶＩＥ．ＶＲＯは、任意のサブピクチャユニットを含むビデオパートで構成されるオリジナルＶＯＢを記録するために用いられる。またこのとき、ビデオパートに関連したオーディオパートもオリジナルＶＯＢに含まる。
【００５８】
ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。ＶＲ＿ＭＡＮＧＲ．ＢＵＰは、ＶＲ＿ＭＡＮＧＲ．ＩＦＯのバックアップファイルである。
【００５９】
本発明によれば、後述されるように、Ｄ端子の信号情報が、ＶＲ＿ＭＡＮＧＲ．ＩＦＯのスチルピッチャＡＶファイル情報テーブル（Ｓ＿ＡＶＦＩＴ）にて、ムービービデオオブジェクトストリーム情報（Ｍ＿ＶＯＢ＿ＳＴＩ）の中の情報として与えられる。
【００６０】
更に図５で示すように、上記ビデオファイルは、階層構造となっており、１つのファイルは複数のＶＯＢで構成され、１つのＶＯＢは、複数のＶＯＢＵで構成され、１つのＶＯＢＵは、複数の様々な種類のデータからなっているパックによって構成されている。パックは１つ以上のパケットとパックヘッダで構成されている。パックは、データ転送処理を行う最小単位であり、論理上の処理を行う最小単位はセル単位で、論理上の処理はこの単位で行わる。
【００６１】
パックには、ビデオデータを圧縮したビデオ情報とビデオスクランブリング制御情報を含むパケットヘッダとを有するビデオパックと、オーディオデータを圧縮したオーディオ情報とオーディオスクランブリング制御情報を含むパケットヘッダを有するオーディオパックと、管理情報としてのコントロールパックとがある。
【００６２】
本発明によれば、後述されるように、Ｄ端子の信号情報がコントロールパックに与えられることで、Ｄ端子の信号に対応する情報記録再生装置を提供することができる。
【００６３】
又、データの再生する順番としては、ＰＧＣ（Program Chain）で定義され、このＰＧＣには、複数のＰＧ（Program）が登録され、このＰＧにはセルが登録され、更にセルには再生すべき対象としてＶＯＢが登録されている。
【００６４】
このＰＧＣの構造を実際に記録してあるのが、ＰＧＣＩ（Program Chain Information）である。再生処理は、このＰＧＣＩに従って行われ、記録時又は編集時にＰＧＣＩを作成することになる。
【００６５】
又、ＤＶＤ記録再生装置では、記録順に再生するための特別なＰＧＣをオリジナルＰＧＣと称し、このオリジナルＰＧＣの情報はＯＲＧ＿ＰＧＣＩに記録されている。
【００６６】
更に、このときのビデオデータの属性情報（解像度情報、アスペクト情報、音声属性情報など）が、ＶＭＧＩ内のＳＴＩに記録されている。
【００６７】
又、図６は、ファイルＶＲ＿ＭＡＮＧＲ．ＩＦＯにおいて管理される管理情報（ビデオ、オーディオなどを記録、再生するために用いるナビゲーションデータとも称される）を階層的に示している。この管理情報は、リアルタイムレコーディングビデオマネジャ（ＲＴＲ＿ＶＭＧ）を含む。このＲＴＲ＿ＶＭＧは、ＲＴＲビデオマネジャ情報（ＲＴＲ＿ＶＭＧＩ）、ムービーＡＶファイル情報テーブル（Ｍ＿ＡＶＦＩＴ）、スチルピッチャＡＶファイル情報テーブル（Ｓ＿ＡＶＦＩＴ）、オリジナルＰＧＣ情報（ＯＲＧ＿ＰＧＣＩ）、ユーザ定義ＰＧＣ情報テーブル（ＵＤ＿ＰＧＣＩＴ），テキストデータマネジャ（ＴＸＴＤＴ＿ＭＧ）、製作者情報テーブル（ＭＮＦＩＴ）を含む。
【００６８】
ＲＴＲ＿ＶＭＧＩには、このマネジャの識別子、マネジャの開始及び終了アドレス、バージョン情報、ディスクが使用されたときの時間を設定するためのタイムゾーン、再生が終了したときにスチルピクチャを表示するための時間を示すスチル時間、テキスト情報として用いられる文字コードの情報、途中再生を中断したときの中断位置情報を示すレジュームマーカー、ディスク代表画像の情報、ディスク代表名の情報、等が記述されている。
【００６９】
本発明は後述するように、Ｄ端子の信号情報を、スチルピッチャＡＶファイル情報テーブル（Ｓ＿ＡＶＦＩＴ）のＭ＿ＶＯＢ＿ＳＴＩとして記録されることにより、Ｄ端子の信号に対応する情報記録再生装置を提供するものである。
【００７０】
又、図７は、本発明に係る情報記録再生装置が扱う記録媒体のディレクトリ構造におけるＣＴＬパックの構造の一例を示す図であり、２０４８バイトで構成されるＣＴＬパックが示されている。
【００７１】
ここで、ＣＴＬデータの階層構造が示され、ＤＣＩの下層のＤＣＩにて、後述するように、Ｄ端子の信号情報が、一例として、アスペクトレートとして与えられている。
【００７２】
＜情報記録再生装置の動作＞
又、本発明に係る情報記録再生装置の動作説明を図面を用いて以下に詳細に説明する。図１８は、本発明に係る情報記録再生装置の全体の動作を示すフローチャート、図８、図９は、録画動作を示すフローチャート、図１０は、ＳＴＩ設定処理を示すフローチャート、図１１、図１２は、再生動作を示すフローチャート、図１３、図１４は、セル再生動作を示すフローチャートである。
【００７３】
本発明に係る情報記録再生装置は、図１に示すように、制御部２７、表示部２８、デコーダ部２４、エンコーダ部２５、ＴＶチューナ部２１、ＳＴＣ部２６（System Time Counter）、Ｄ−ＰＲＯ部１３、ドライブ部１１、キー入力部２９、ビデオミキシング部３２、フレームメモリ部３３、ＴＶ用Ｄ／Ａ部３１、オーディオ用Ｄ／Ａ部３１、ＨＤＤバッファ部１２、オーディオ信号のセレクタ部３０により構成されている。
【００７４】
エンコーダ部２４内には、図２に示すように、Ａ／Ｄ部４２、ビデオエンコード部４３、オーディオエンコード部４４、ＳＰエンコード部４５、フォーマット部４６、バッファメモリ部４７より構成され、デコーダ部２５は、分離部５１、ビデオデコード部５２、ＳＰデコード部５４、オーディオデコード部５５、Ｖ−ＰＲＯ（Video Processing）部５３により構成されている。
【００７５】
最初に本発明に係る情報記録再生装置の全体動作について、図１８のフローチャートに従って説明する。電源を投入すると、最初に初期設定が与えられる（Ｓ１１１）。次に、表示に関する設定がなされ（Ｓ１１２）、ユーザによりキー入力部２９を介して入力がされると（Ｓ１１３）、入力されたキーが解釈される（Ｓ１１４）。そして、録画処理や（Ｓ１１５）、再生処理が行われ（Ｓ１１６）、これらの処理に応じてタスク毎に様々な並列処理がされるものである。
【００７６】
この実施形態に係る情報記録再生装置のビデオ信号の処理の概要を説明する。まず、入力されたＡＶ信号はＡ／Ｄ入力部２２でデジタル変換される。そのデジタル信号は、各エンコーダ部４３，４４，４５へ入力される。ビデオ信号はビデオエンコード部４３へ、オーディオ信号はオーディオエンコード部４４へ、文字放送などの文字データはＳＰエンコード部４５へ入力される。ビデオ信号はＭＰＥＧ圧縮され、オーディオ信号はＡＣ３圧縮又はＭＰＥＧオーディオ圧縮がなされ、文字データはランレングス圧縮される。
【００７７】
各エンコーダ部４３，４４，４５から、圧縮データがパック化された場合に２０４８バイトになるようにパケット化されて、フォーマッタ部４６へ入力される。フォーマッタ部４６では、各パケットがパック化され、更に、多重化され、Ｄ−ＰＲＯ部１３へ送られる。
【００７８】
ここで、画像信号規格情報抽出部２３からの情報に基づき、ＣＴＬパックをフォーマッタ部４６は作成し、ＶＯＢＵの先頭に配置する。
【００７９】
又、ビデオエンコーダ部２４では画像信号規格情報抽出部２３で抽出したアスペクト情報を、ＭＰＥＧビデオデータのシーケンスヘッダ内のアスペクト情報として書き込む。
【００８０】
Ｄ−ＰＲＯ部１３では、１６パック毎にＥＣＣブロックを形成し、エラー訂正データを付け、ドライブ部１１によりディスクに記録される。
【００８１】
ここで、ドライブ部１１がシーク中やトラックジャンプなどの場合のため、ビジィ状態の場合には、ＨＤＤバッファ部１２へ入れられ、ＤＶＤ−ＲＡＭドライブ部１１の準備ができるまで待つこととなる。
【００８２】
更に、フォーマッタ部４６では、録画中、各切り分け情報を作成し、定期的に制御部２７へ送る（ＧＯＰ先頭割り込みなど）。切り分け情報としては、ＶＯＢＵのパック数、ＶＯＢＵ先頭からのIピクチャのエンドアドレス、ＶＯＢＵの再生時間などである。
【００８３】
同時に、画像信号規格情報抽出部２３からの情報を録画開始時に制御部２７へ送り、制御部２７は管理情報であるＶＭＧＩを生成し、Ｄ端子の信号に応じたビデオ属性情報であるＳＴＩを作成する。ここで、ＳＴＩは先に示した図６のような構造になっており、解像度データ、アスペクトデータなどを保存し、再生時、各デコーダ部２５はこの情報に基づいて初期設定が行われる。すなわち、Ｖ＿ＡＴＲにおいて、Ｄ端子の信号に応じたアスペクト比が、４：３や１６：９として設定され、アプリケーションフラグが０のとき、ＳＴＩのみにアスペクト比を記載し、１のときＳＴＩとＲＤＩパックに両方にアスペクト比が記載される。ビデオ解像度についても、０００が７２０＊４８０、００１が３５２＊４８０、０１１が３５２＊２４０、１００が５４４＊４８０、１０１が４８０＊４８０である。又、Ｉ／Ｐの００がプログレッシブ、０１がインターレスを示している。
【００８４】
又、ＤＶＤを扱う情報記録再生装置では、ビデオファイルは１ディスクに１ファイルとしている。
【００８５】
次に録画処理について、図８、図９、図１０のフローチャートに従って詳細に説明する。本発明に係る情報記録再生装置において、最初に、ＤＶＤ−ＲＡＭのファイルシステムを読み込んで、これをチェックし、ファイルシステムがない場合には、ファイルシステムを構築する（Ｓ１１）。ここで、空き容量の有無がチェックされ（Ｓ１２）、ない場合は、「録画スペースがありません」との表示を行う（Ｓ２４）。ステップＳ１２で空き容量がある場合はＤＶＤ−ＲＡＭのディレクトリをチェックし、ＲＴＲディレクトリがない場合には、そのディレクトリを作成する。ワークＲＡＭ内にＤＶＤ−ＲＡＭよりＶＭＧＩを読み出し、ない場合は内部で発生し、ＶＭＧＩテーブルを構築する（Ｓ１３）。
【００８６】
Ｄ端子の制御信号を取り込み（Ｓ１４）、対応できる解像度であるかどうかを判断し（Ｓ１５）、対応できない場合は、例えば、「録画できる解像度ではありません」等、その旨を表示して終了する（Ｓ２５）。
【００８７】
次に、エンコーダ部に録画初期設定を行い、録画を開始するべく設定する（Ｓ１６）。すなわち、ＳＴＣ部２６をリセットし、各ドライブ部へ書き込み開始アドレス、書き込み命令を設定する。そして、フォーマッタ部４６へ初期設定を行う。更にＣＥＬＬ、ＶＯＢＵ、ＰＧ、ＰＧＣ区切りを設定する。アライン処理をおこなう。
【００８８】
コントロールパックにアスペクト情報を、Ｄ端子の情報を反映するように、図７に示すようなコントロールパックのパック構造として、例えばアスペクトレートを設定する（Ｓ１６）。更に、エンコード開始時に画像信号規格情報抽出部２３より解像度情報を読み込み、値に従って、後述する手順でＳＴＩを設定する（Ｓ１７）。これにより、Ｄ端子の信号を反映した記録処理を可能とする。
【００８９】
記録データはバッファメモリ内に一定量だけ溜まったかを判断し、エンコードデータが１記録分たまった場合（Ｓ１８）、ＤＶＤ−ＲＡＭの空き領域に記録するように各ドライブ部１１に設定し、記録するセクタのリンク情報をワークＲＡＭに保存する（Ｓ１９）。
【００９０】
切り分け情報が溜まった場合（Ｓ２０）、切り分け情報をエンコード部より読み込みワークＲＡＭにＶＯＢＵ管理情報として取り込み、録画終了命令が出るまで（Ｓ２１）、ステップＳ１６の設定処理とステップＳ１７のＳＴＩの設定を繰り返す。
【００９１】
ここでエンコーダ部２４は、ＡＶ入力部２２内のＤ端子からのアスペクト情報を受け、図１７に示すように、ＭＰＥＧビデオデータのシーケンスヘッダに解像度情報に従って情報を設定する（Ｓ２１）。すなわち、図１７において、ＭＰＥＧビデオデータのフォーマットのシーケンスヘッダ内の、ＨＳが画素の縦のライン数、ＶＳが画素の横のライン数、ＰＡＲがアスペクト比である。更にフォーマッタ部４６の働きにより、ＣＴＬパックにも同じ情報を設定し、切り分け情報により制御部２７に知らせる（Ｓ２１）。これらの処理を録画終了キーが入力されるまで続ける（Ｓ２２）。
【００９２】
そして、更にＤＶＤ−ＲＡＭのファイルシステムをリンク情報に基づいて更新する。すなわち、フォーマッタ部４６により、残りの切り分け情報を取り込み、これを初期化する。更に、管理情報への書き込みを行う。又、ワークＲＡＭ内の管理情報に基づいてＶＭＧファイルを更新し、ディスクに記録する（Ｓ２３）。
【００９３】
更に上述したＳＴＩの設定を図１０のフローチャートを用いて詳細に説明する。すなわち初めに、Ｄ端子の制御信号を取り込み、録画開始の際のＤ端子のステータスを調べる（Ｓ３１）。そして、ライン１の値をチェックする（Ｓ３２）。ライン１の値が５Ｖの場合はライン数を１０８０として設定し（Ｓ３３）、２．２Ｖの場合はライン数が７２０として設定し（Ｓ３４）、０Ｖの場合はライン数を３２０として設定する（Ｓ３５）。
【００９４】
次に、ライン２の値がチェックされる（Ｓ３６）。値が５Ｖの場合は、プログレッシブとして設定し（Ｓ３７）、０Ｖの場合はインタレースとして設定される（Ｓ３８）。
【００９５】
次に、ライン３の値をチェックし（Ｓ３９）、ライン３の値が５Ｖの場合は１６：９として設定し（Ｓ４０）、０Ｖの場合は４：３として設定する（Ｓ４１）。
【００９６】
又、このとき、上述したように、ＭＰＥＧビデオデータのシーケンスヘッダ内の解像度データに設定することも好適である。
【００９７】
画像信号規格情報抽出部２３では、図１６のＤ端子の制御ライン仕様を示す図に応じて取り込んだライン信号を取り出し、その値をＡ／Ｄコンバータ５６やコンパレータ５６などにより、制御部２７等が読み出せる値に変換し、制御部２７に読み出させる。ここで図１６の制御ライン仕様は、一例として、ライン１とライン２とライン３とから表される。すなわち、ライン１が５．０Ｖであれば、１０８０の走査線数、ライン２が５．０Ｖなら、６０のプログレッシブ、ライン３が５．０Ｖを示していれば、アスペクト比が１６：９の画像のスクイーズ信号であることを意味している。
【００９８】
（再生処理）
又次に、本発明に係る情報記録再生装置の再生処理について、フローチャートを用いて詳細に説明する。図１１及び図１２は、本発明に係る情報記録再生装置の再生動作を示すフローチャートである。
【００９９】
本発明に係る情報記録再生装置は、図１１及び図１２のフローチャートにおいて、まず初めにディスクチェックが行われ（Ｓ５０）、エラーが発生していたらエラー処理を行う（Ｓ５１）。そして、ボリュームストラクチャの有無が問われ（Ｓ５２）、これが存在しなければ、「録画されておりません」として表示する（Ｓ５４）。同様にＤＶＤ＿ＲＴＲディレクトリの有無が問われ（Ｓ５３）、存在していなければ、「録画されておりません」として表示する（Ｓ５４）。又、エラー発生の有無が問われ（Ｓ５５）、発生していたら、「ファイルシステムでエラーが発生しました」と表示する（Ｓ５６）。
【０１００】
次にＶＭＧの有無が問われ（Ｓ５７）、なければ「録画されていません」と表示する（Ｓ６１）。更に、ＶＭＧを読み込み（Ｓ５８）、ＶＲＯファイルの有無を判断する（Ｓ５９）。存在しなければ、「録画されていません」として表示する。次に、再生開始するＰＧ（Program）を決定する（Ｓ６０）。
【０１０１】
次に、ＶＭＧ内のＳＴＩの内容を読み込み、ＭＰＥＧビデオデータ、ＳＰデコーダ、Ａｕｄｉｏデコーダの各初期設定を行う。更にＳＴＩ内のアスペクトレートを読み込み、Ｄ端子の制御ラインに設定する（Ｓ６２）。
【０１０２】
更に図１３のフローチャートで特定されるセル再生時の処理を行い（Ｓ６３）、再生が終了したかどうかを判断する（Ｓ６４）。
【０１０３】
終了していなければ、ＰＧＣＩより次のセルを設定する（Ｓ６９）。これによりデコーダの設定が変われば（Ｓ７０）、次のシーケンスエンドコードでデコーダの設定を変更するように設定する（Ｓ７１）。変わらなければ、シームレス接続であるかどうかが判断され（Ｓ７２）、シームレス接続ならば、ステップＳ６３のセル再生時の処理を行う。シームレス接続でなければ、ＭＰＥＧデコーダをフリーランモードに設定し、シームレス接続フラグを設定した上でステップＳ６３のセル再生時の処理を行う。
【０１０４】
又、ステップＳ６５でエラーが生じていれば、「読み出しエラー」と表示して（Ｓ６６）、再生終了処理を行う（Ｓ６７）。エラーが生じていなければ、その他の再生終了時の処理を行う（Ｓ６８）。
【０１０５】
（セル再生時の処理）
更に、図１３及び図１４に示すフローチャートを用いて、上述したセル再生時の処理を以下に詳細に説明する。すなわち、図１３及び図１４のフローチャートにおいて、ＰＧＣＩ，ＴＭＡＰＩの内容よりセルの開始ＦＰ（ＬＢＮ）、終了ＦＰの決定を行い、読出ＦＰにセル開始ＦＰとする（Ｓ８１）。
【０１０６】
更に読み出すスタートアドレス、読み出し長を設定する（Ｓ８２）。読み出すデータ長より残りセル長が長くなければ（Ｓ８３）、読み出し長を残りセル長に設定し、残りセル長を“０”に設定する（Ｓ８５）。
【０１０７】
読み出すデータ長より残りセル長が長ければ（Ｓ８３）、読み出し長をデフォルトに設定する（Ｓ８４）。そして、ドライブ部１１へデータ読み出し命令セットする（Ｓ８６）。ここで、転送開始であれば（Ｓ８７）、１ＶＯＢＵ分がバッファＲＡＭに溜まったことを確認して（Ｓ８８）、１ＶＯＢＵ分データをバッファＲＡＭより読み込む（Ｓ８９）。
【０１０８】
ここで、コントロールパックが存在し（Ｓ９０）、解像度に変化があれば（Ｓ９１）、Ｄ端子制御ラインを変更する（Ｓ９２）。そうでなければ、Ｄ端子制御ラインの変更は行わない。
【０１０９】
次に、シームレス接続フラグが設定されているかどうかが判断され（Ｓ９３）、設定されていれば、読み出しＦＰと読み出し長とが、読み出しＦＰに設定される。そして、ＭＰＥＧデコーダを通常モードに設定し、ＳＣＲの読み込みと設定を行う。更に、シームレス接続フラグをリセットする（Ｓ９４）。
【０１１０】
次に、転送が終了すれば（Ｓ９５）、残りセル長＝０であるかどうかで最後のセルかどうかが判断され（Ｓ９６）、最後であれば処理を終了し、最後でなければ、最初のステップ８２に戻り、同様の処理を繰り返す。
【０１１１】
又、ステップＳ９５において転送終了でなければ、キー入力の有無を判断し（Ｓ９７）、キー入力があれば、正方向が指定されているとき（Ｓ９８）、ジャンプ方向を正方向に設定し、ジャンプ量によりｒｅａｄ＿ｆｐを設定する（Ｓ１００）。負方向が指定されているとき（Ｓ９９）、ジャンプ方向を負方向に設定し、ジャンプ量によりｒｅａｄ＿ｆｐを設定する（Ｓ１０１）。
【０１１２】
キー入力がないか（Ｓ９７）、正方向も負方向も設定されていなければ（Ｓ９８，Ｓ９９）、ステップＳ８８に戻り、同様の処理（ステップＳ８８〜ステップＳ９５）を行うものである。
【０１１３】
以上、本実施形態に係る情報記録再生装置においては、画像信号規格情報であるＤ端子の信号に対応する情報の記録を行うべく、少なくとも、図６に示される管理情報であるＶＭＧＩのＳＴＩにこれを反映させ、又、図５で示されるストリーム内のビデオ・オブジェクト・セット内のビデオ・オブジェクト・ユニット内のコントロールパックの制御情報としてこれを反映させ、又、図１５で示されるＭＰＥＧビデオ内のシーケンスヘッダの制御情報としてこれを反映させるものである。これにより、Ｄ端子の信号に対応する情報記録再生装置を提供することができる。
【０１１４】
＜情報記録再生装置の他の実施形態＞
上記の実施形態では、Ｄ端子規格として、Ｄ１〜Ｄ５の全ての解像度に対応できる情報記録再生装置として説明した。しかし、情報記録再生装置では、画像表示の解像度に制限がある場合がある。例えば、Ｄ１端子のみサポートしている場合である。このような場合には、Ｄ１以上のソース信号の記録再生処理を行うことができずに誤動作を生じるものと考えられ、それに対する対策を施した実施形態を以下に説明する。
【０１１５】
これらの対策としての特徴として、図３は、本発明に係る情報記録再生装置の、特に画像縮小部を含むエンコーダの一例を示すブロック図、図２０は、Ｄ１端子のみ対応の際のミュート処理のための構成の一例を示すブロック図、図２１は、画像縮小処理を示すフローチャートである。
【０１１６】
すなわち、処理できない高い解像度のソース信号が供給された場合、ミュートをかけて中断するか、録画を停止することが好適である。図１９のフローチャートにおいて、情報記録再生装置は、まず初めに、録画開始時のＤ端子のステータスを調べる（Ｓ１２１）。つまり、ライン１の値をチェックし（Ｓ１２２）、これが５Ｖであるとき、図２０で示すように、与えられるソース信号が供給されるミュート回路５７がミュートするべく、制御部２７からミュート信号を供給する（Ｓ１２３）。そして、「解像度が違うため表示できません」として表示する（Ｓ１２４）。そして、録画処理を中止するように、フラグをセットする（Ｓ１２５）。
【０１１７】
ここでは、単にミュートするだけでも可能だし、ミュートすることなく直ちに録画を停止することも好適である。
【０１１８】
又更に、図３の（ａ）に示すような縮小部４１とスイッチ４８とを追加し、これを制御部２７で制御して、処理できない高解像度のソース信号を処理できる解像度まで落として処理することも可能である。又、図３の（ｂ）は、Ａ／Ｄコンバータ機能を有するＡ／Ｄ縮小部５１であり、スイッチ５２により開閉される。
【０１１９】
図２１のフローチャートにおいて、録画開始時のＤ端子のステータスを調べる（Ｓ１３１）。次に、ライン１の値をチェックする（Ｓ１３２）。そして、５Ｖであれば、縮小回路をオンするべく、上記のスイッチ４８又はスイッチ５２をオンして、情報記録再生装置で処理できる解像度に低下させて処理する（Ｓ１３５）。ライン１の値が２．２Ｖや０Ｖであれば、通常の表示を設定する（Ｓ１３３）。そして、ライン２の値をチェックし（Ｓ１３４）、これが５Ｖであれば、縮小回路をオンして縮小し（Ｓ１３５）、０Ｖであれば、通常の処理へと戻るものである。
【０１２０】
これにより、情報記録再生装置では処理できない高い解像度のソース信号であっても、縮小部４１又はＡ／Ｄ縮小部５１を利用することで、記録及び再生処理が可能となるものである。
【０１２１】
【発明の効果】
以上説明したようにこの発明によれば、Ｄ端子の信号に対応した光ディスク記録再生装置を提供することができる。
【図面の簡単な説明】
【図１】本発明に係る情報記録再生装置の全体構成を示すブロック図。
【図２】本発明に係る情報記録再生装置のエンコーダとデコーダの一例を示すブロック図。
【図３】本発明に係る情報記録再生装置の、特に画像縮小部を含むエンコーダの一例を示すブロック図。
【図４】本発明に係る情報記録再生装置が扱う記録媒体のディレクトリ構造の一例を示す図。
【図５】本発明に係る情報記録再生装置が扱う記録媒体のディレクトリ構造におけるＶＯＢＳの構造の一例を示す図。
【図６】本発明に係る情報記録再生装置が扱う記録媒体のディレクトリ構造におけるＭ＿ＶＯＢ＿ＳＴＩの構造の一例を示す図。
【図７】本発明に係る情報記録再生装置が扱う記録媒体のディレクトリ構造におけるＣＴＬパックの構造の一例を示す図。
【図８】本発明に係る情報記録再生装置の録画動作を示すフローチャート。
【図９】本発明に係る情報記録再生装置の録画動作を示すフローチャート。
【図１０】本発明に係る情報記録再生装置のＳＴＩ設定処理を示すフローチャート。
【図１１】本発明に係る情報記録再生装置の再生動作を示すフローチャート。
【図１２】本発明に係る情報記録再生装置の再生動作を示すフローチャート。
【図１３】本発明に係る情報記録再生装置のセル再生動作を示すフローチャート。
【図１４】本発明に係る情報記録再生装置のセル再生動作を示すフローチャート。
【図１５】本実施形態におけるＤ端子情報検出部の一例を示すブロック図。
【図１６】本実施形態におけるＤ端子の制御ライン仕様の一例を示す図。
【図１７】本実施形態におけるＭＰＥＧビデオデータのフォーマットを示す図。
【図１８】本発明に係る情報記録再生装置の全体の動作を示すフローチャート。
【図１９】本発明に係る情報記録再生装置のＤ１端子のみ対応の際の処理を示すフローチャート。
【図２０】本発明に係る情報記録再生装置のＤ１端子のみ対応の際のミュート処理のための構成の一例を示すブロック図。
【図２１】本発明に係る情報記録再生装置のＤ１端子のみ対応の際の画像縮小処理を示すフローチャート。
【符号の説明】
１１…ディスクドライブ部、１２…ＨＤＤ、１３…Ｄ−ＰＲＯ部、２１…ＴＶチューナ、２２…ＡＶ入力部、２３…画像信号規格情報抽出部、２４…エンコーダ部、２５…デコーダ部、２６…ＳＴＣ、２７…制御部、２８…表示部、２９…キー入力部、３０…セレクタ、３１…Ｄ／Ａコンバータ、３２…ビデオミキシング部、３３…フレームメモリ部、３４…Ｉ／Ｆ部、３５…Ｄ／Ａコンバータ、３６…ＴＶディスプレイ
【図１】
0003833951.tif 000002
【図２】
0003833951.tif 000003
【図３】
0003833951.tif 000004
【図４】
0003833951.tif 000005
【図５】
0003833951.tif 000006
【図６】
0003833951.tif 000007
【図７】
0003833951.tif 000008
【図８】
0003833951.tif 000009
【図９】
0003833951.tif 000010
【図１０】
0003833951.tif 000011
【図１１】
0003833951.tif 000012
【図１２】
0003833951.tif 000013
【図１３】
0003833951.tif 000014
【図１４】
0003833951.tif 000015
【図１５】
0003833951.tif 000016
【図１６】
0003833951.tif 000017
【図１７】
0003833951.tif 000018
【図１８】
0003833951.tif 000019
【図１９】
0003833951.tif 000020
【図２０】
0003833951.tif 000021
【図２１】
0003833951.tif 000022